(57)【特許請求の範囲】
【請求項１】
少なくとも、各種興業に関する利用者の予約関連情報を管理する予約関連情報管理装置と、
各種興業を利用する利用者が保持し、前記予約関連情報管理装置と通信可能な携帯端末と、
特定の興業内容を告知するために配布される配布媒体と、を有し、
前記配布媒体は、少なくとも他の前記配布媒体と識別可能な一意の情報である一意識別情報と、前記携帯端末が前記予約関連情報管理装置にアクセスするためのアクセス情報を有し、
前記携帯端末は、これら一意識別情報及びアクセス情報を取得可能な構成となっており、
前記予約関連情報管理装置は、前記携帯端末から取得した前記一意識別情報に基づいて前記予約関連情報を生成し、他の前記予約関連情報と区別する構成となっており、
前記予約関連情報管理装置は、前記一意識別情報に対応する入場許可予約情報を前記携帯端末に送信し、
前記携帯端末から前記入場許可予約情報を取得する入場許可予約情報取得装置と、前記入場許可予約情報に基づいて入場許可情報を出力する入場許可情報出力装置を有し、
前記入場許可予約情報取得装置が取得した前記入場許可予約情報が、前記予約関連情報管理装置の前記入場許可予約情報と同一と判断されたときにのみ前記入場許可情報が出力され、
前記一意識別情報に対応する前記入場許可予約情報が複数の前記入場許可予約情報を含むときは、前記一意識別情報に従属する従属一意識別情報を付与することで管理する構成となっており、
前記従属一意識別情報がギフト用であるときに限り、対応する前記一意識別情報を変更して新たな一意識別情報を付与して、従前の前記一意識別情報との関連を外して、別個独立して管理することが可能な構成となっていることを特徴とする興業情報管理システム。
【請求項２】
前記関連を外す処理はギフトの申し出の受諾情報を取得したときにのみ実行することを特徴とする請求項１に記載の興業情報管理システム。
【請求項３】
前記配布媒体には、前記特定の興業内容の情報である興業内容情報が、通信可能に記憶されていることを特徴とする請求項１又は請求項２に記載の興業情報管理システム。
【請求項４】
前記一意識別情報、前記アクセス情報及び前記興業内容情報が、マトリックス型２次元コード情報として前記配布媒体に配置されていることを特徴とする請求項３に記載の興業情報管理システム。
【発明の詳細な説明】
【技術分野】
【０００１】
本発明は、例えば、映画鑑賞券の予約券等を管理する興業情報管理システムに関するものである。
【背景技術】
【０００２】
従来より、映画鑑賞券の予約券等の発券には、膨大な手数と時間等がかるため、インターネット等を利用した発券システム等が提案されている（例えば、特許文献１）。
このようなシステムでは、利用者は、先ず、会員登録等をして、その後、自己の鑑賞したい映画等の予約券等を購入する構成となっている。
つまり、近い将来に公開される映画のパンフレットを見た利用者は、先ず、予約券のシステムの会員登録をし、その後、鑑賞したい映画の予約券を購入することになる。
【先行技術文献】
【特許文献】
【０００３】
【特許文献１】ＷＯ０１／０７５８８号公報
【発明の概要】
【発明が解決しようとする課題】
【０００４】
しかし、このようなシステムでは、利用者は、映画等の宣伝用等の映画パンフレット等の媒体を見ても、直ぐに予約することができないため、後で予約することとして、結局、予約を忘れてしまうことが多い。特に映画は極めて限られた期間内にのみ上映するため、観たい利用者の多くが最終的には鑑賞することなく上映期間が経過してしまい、映画の集客が不十分であるという問題があった。
【０００５】
そこで、映画等の宣伝用等の映画パンフレット等の配布媒体を見て、鑑賞等しようとする利用者が、簡易かつ迅速に予約券等の予約情報を取得することができる興業情報管理システムを提供することを目的とする。
【０００６】
上記目的は、本発明にあっては、少なくとも、各種興業に関する利用者の予約関連情報を管理する予約関連情報管理装置と、各種興業を利用する利用者が保持し、前記予約関連情報管理装置と通信可能な携帯端末と、特定の興業内容を告知するために配布される配布媒体と、を有し、前記配布媒体は、少なくとも他の前記配布媒体と識別可能な一意の情報である一意識別情報と、前記携帯端末が前記予約関連情報管理装置にアクセスするためのアクセス情報を有し、前記携帯端末は、これら一意識別情報及びアクセス情報を取得可能な構成となっており、前記予約関連情報管理装置は、前記携帯端末から取得した前記一意識別情報に基づいて前記予約関連情報を生成し、他の前記予約関連情報と区別する構成となっており、前記予約関連情報管理装置は、前記一意識別情報に対応する入場許可予約情報を前記携帯端末に送信し、前記携帯端末から前記入場許可予約情報を取得する入場許可予約情報取得装置と、前記入場許可予約情報に基づいて入場許可情報を出力する入場許可情報出力装置を有し、前記入場許可予約情報取得装置が取得した前記入場許可予約情報が、前記予約関連情報管理装置の前記入場許可予約情報と同一と判断されたときにのみ前記入場許可情報が出力され、前記一意識別情報に対応する前記入場許可予約情報が複数の前記入場許可予約情報を含むときは、前記一意識別情報に従属する従属一意識別情報を付与することで管理する構成となっており、前記従属一意識別情報がギフト用であるときに限り、対応する前記一意識別情報を変更して新たな一意識別情報を付与して、従前の前記一意識別情報との関連を外して、別個独立して管理することが可能な構成となっていることを特徴とする興業情報管理システムにより達成される。
【０００７】
前記構成によれば、配布媒体は、少なくとも他の配布媒体と識別可能な一意の情報である一意識別情報を有し、携帯端末は、この一意識別情報を取得し、予約関連情報管理装置に送信する。そして、予約関連情報管理装置は、携帯端末から取得した一意識別情報に基づいて予約関連情報を生成し、他の予約関連情報と区別する構成となっている。
したがって、例えば、映画パンフレット等の配布媒体には、一意識別情報（一意識別番号等）が配置されているので、この映画パンフレット等を視認した利用者が、当該映画の予約券等を入手したいときは、当該一意識別番号を自己の携帯端末で取得し、その一意識別番号をそのまま、チケット管理サーバ等の予約関連情報管理装置に送信すれば、当該利用者用の予約関連情報が生成される。
このため、利用者は、会員登録等の煩雑な手続を行うことなく、映画等の宣伝用等のパンフレット等の配布媒体を見て、迅速且つ容易に予約券等の予約関連情報を生成することができる。
【０００９】
前記構成によれば、チケット管理サーバ等の予約関連情報管理装置が、一意識別情報に対応する例えば、予約番号等の入場許可予約情報を利用者の携帯端末に送信する。そして、映画館等の興業場所に配置される劇場側リードライタ装置等の入場許可予約情報取得装置が、携帯端末から取得した予約番号が、チケット管理サーバ等の予約番号等と同一と判断されたときのみ、入場券等の入場許可情報が出力される。
したがって、利用者は、チケット管理サーバ等から取得した予約番号等を記憶した携帯端末を用いるだけで、所望の映画館等の入場券等を取得することができる。
このため、利用者は、特に会員登録等をすることなる簡易な方法で入場券等を取得することができる。
また、映画館等の興業場所としても、適正な予約番号等であるかを容易且つ確実に判断することができ、不正な入場等を適切に排除することができる。
【００１１】
前記構成によれば、一意識別情報に対応する入場許可予約情報が複数の入場許可予約情報を含むときは、一意識別情報に従属する従属一意識別情報を付与することで管理する。
このため、利用者が同じ一意識別情報で、複数の予約番号等（入場券等）の取得を希望したときでも、これら複数の予約番号等（入場券等）を、それぞれ別個の従属一意識別情報等で管理することができ、それぞれに異なる情報（異なる映画館等）を付与することができる。
【００１３】
前記構成によれば、従属一意識別情報毎に別個独立して管理できるので、従属一意識別情報毎に他人に譲渡等する場合にも容易に管理することができる。
【００１４】
好ましくは、前記配布媒体には、前記特定の興業内容の情報である興業内容情報が、通信可能に記憶されていることを特徴とする。
【００１５】
前記構成によれば、チケット管理サーバ等の予約関連情報管理装置が、配布媒体の映画の作品名等の興業内容情報を携帯端末を介して取得することができるので、チケット管理サーバ等は、映画の作品名等の興業内容情報と一意識別情報を容易に関連付けて処理することができる。
【００１６】
好ましくは、前記一意識別情報、前記アクセス情報及び興業内容情報が、マトリックス型２次元コード情報として前記配布媒体に配置されていることを特徴とする。
【００１７】
前記構成によれば、携帯端末が、一意識別情報、アクセス情報及び興業内容情報をマトリックス型２次元コード情報として取得できる。したがって、配布媒体にこれらの情報を簡易且つ容易に配置することができる。
【発明の効果】
【００１９】
以上説明したように、本発明によれば、映画等の宣伝用等の映画パンフレット等の配布媒体を見て、鑑賞等しようとする利用者が、簡易かつ迅速に予約券等の予約情報を取得することができる興業情報管理システム及び興業情報管理システムの制御方法を提供することを目的とする。
【図面の簡単な説明】
【００２０】
【図１】本発明の興業情報管理システムである例えば、映画チケット予約システムを示す概略図である。
【図２】図１の映画パンフレット及び携帯端末の主な構成を示す概略ブロック図である。
【図３】図１のチケット管理サーバの主な構成を示す概略ブロック図である。
【図４】図３の第１チケット管理サーバ側各種情報記憶部の内容を示す概略ブロック図である。
【図５】図３の第２チケット管理サーバ側各種情報記憶部の内容を示す概略ブロック図である。
【図６】図３の第３チケット管理サーバ側各種情報記憶部の内容を示す概略ブロック図である。
【図７】図１のゲート及び劇場管理サーバの主な構成を示す概略ブロック図である。
【図８】映画チケット予約システムの主な動作例を示す概略フローチャートである。
【図９】映画チケット予約システムの主な動作例を示す他の概略フローチャートである。
【図１０】映画チケット予約システムの主な動作例を示す他の概略フローチャートである。
【図１１】映画チケット予約システムの主な動作例を示す他の概略フローチャートである。
【図１２】映画チケット予約システムの主な動作例を示す他の概略フローチャートである。
【発明を実施するための形態】
【００２１】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２２】
図１は、本発明の興業情報管理システムである例えば、映画チケット予約システム１を示す概略図である。
図１に示すように、映画チケット予約システム１は、配布媒体である例えば、紙製の映画宣伝用の映画パンフレット１０を有している。この映画パンフレット１０には、興業内容である例えば、映画の作品名「ＡＢＣ」の予告宣伝が印刷されていると共に、その表面には「マトリックス型２次元コード１１」が印刷されている。
この「マトリックス型２次元コード１１」には、一意識別情報である例えば、一意識別番号（１２４５６）のデータが含まれている。
この一意識別番号は、映画パンフレット１０毎に異なると共に、各映画パンフレット特有の番号となっている。したがって、同じ一意識別番号を有する映画パンフレットは２つと存在しない構成となっている。
【００２３】
また、この「マトリックス型２次元コード１１」には、アクセス情報である例えば、インターネット２上のリソースを特定するための記号等である「ＵＲＬ（Ｕｎｉｆｏｒｍ  Ｒｅｓｏｕｒｃｅ  Ｌｏｃａｔｏｒ）」情報も含まれている。すなわち、図１に示す予約関連情報管理装置である例えば、チケット管理サーバ４０に、インターネット網２を介して、アクセスするためのＵＲＬ情報が含まれている。
【００２４】
さらに、この「マトリックス型２次元コード１１」には、興業内容情報である例えば、「映画の作品名情報（ＡＢＣ等）」も含まれている。
【００２５】
ところで、図１に示すように、映画チケット予約システム１は、チケット管理サーバ４０とインターネット網２及び基地局３等を介して通信可能な構成となっている携帯端末２０も有している。
また、携帯端末２０には、図１に示すように、映画パンフレット１０の「マトリックス型２次元コード１１」を取得し、そのコードに含まれている情報を取得する「マトリックス型２次元コード取得装置２１」有している。
【００２６】
また、映画チケット予約システム１は、図１に示すように、興業場所である劇場（映画館）に配置され、チケット管理サーバ４０と通信可能である「劇場管理サーバ６０」を有している。また、この劇場には、入り口に入場を制限することができる「ゲート８０」が配置されると共に、このゲート８０は、劇場管理サーバ６０と通信可能に接続されている。
また、このゲート８０には、携帯端末２０と通信可能な入場許可予約情報取得装置である例えば、「劇場側リードライタ装置９０」を有している。したがって、携帯端末２０をこの劇場側リードライタ装置９０に近づけると、ＮＦＣ（Ｎｅａｒ  Ｆｉｅｌｄ  Ｃｏｍｍｕｎｉｃａｔｉｏｎ）等の近距離無線通信が実行可能な構成となっている。
また、ゲート８０には、入場許可情報である例えば、映画の入場券を印刷(出力)する入場許可情報出力装置である例えば、入場券印刷装置９１も配置されている。
【００２７】
図１に示す映画チケット予約システム１の携帯端末２０、劇場管理サーバ６０及びチケット管理サーバ４０等は、コンピュータを備え、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）やハードディスク等を有し、バスを介して接続されている。
【００２８】
図２は、図１の映画パンフレット１０及び携帯端末２０の主な構成を示す概略ブロック図である。
図２に示すように、映画パンフレットは、上述のように、一意識別番号（１２４５６）等の情報を有する「マトリックス型２次元コード１１」を備えている。
また、図２に示すように、携帯端末２０は、「携帯端末制御部２２」を有し、携帯端末制御部２２は、上述の「マトリックス型２次元コード取得装置２１」を制御する他、「携帯端末側通信装置２３」、「携帯端末側ディスプレイ２４」及び「携帯端末側入力装置２５」も制御する構成となっている。
さらに、携帯端末制御部２２は、図２に示す携帯端末２０の各種記憶部等も制御するが、これらについては後述する。
【００２９】
図３は、図１のチケット管理サーバ４０の主な構成を示す概略ブロック図である。
図３に示すように、チケット管理サーバ４０は、「チケット管理サーバ制御部４１」を有し、チケット管理サーバ制御部４１は、図３に示す「チケット管理サーバ側通信装置４２」、「チケット管理サーバ側ディスプレイ４３」、「チケット管理サーバ側入力装置４４」及び「計時装置４５」を制御する。
また、チケット管理サーバ４０は、図３に示す「第１チケット管理サーバ側各種情報記憶部４１０」、「第２チケット管理サーバ側各種情報記憶部４３０」及び「第３チケット管理サーバ側各種情報記憶部４５０」等も制御する。
図４、図５及び図６は、それぞれ、「第１チケット管理サーバ側各種情報記憶部４１０」、「第２チケット管理サーバ側各種情報記憶部４３０」及び「第３チケット管理サーバ側各種情報記憶部４５０」の内容を示す概略ブロック図である。これらの内容については、後述する。
【００３０】
図７は、図１のゲート８０及び劇場管理サーバ６０の主な構成を示す概略ブロック図である。
図７に示すようにゲート８０は劇場管理サーバ６０と通信可能に接続されていると共に、劇場管理サーバ６０は、「劇場管理サーバ制御部６１」を有し、劇場管理サーバ制御部６１は、図７に示すように「劇場管理サーバ側通信装置６２」、「劇場管理サーバ側ディスプレイ６３」及び「劇場管理サーバ側入力装置６４」を制御すると共に「取得予約番号記憶部６５」を制御する構成となっている。
【００３１】
図８乃至図１２は、映画チケット予約システム１の主な動作例を示す概略フローチャートである。
以下、これらフローチャートに沿って、その動作等を説明すると共に、図１乃至図７の構成についても併せて説明する。
【００３２】
本実施の形態では、例えば、利用者「甲」が図１の映画パンフレット１０を取得し、その映画「ＡＢＣ」の鑑賞予約をし、実際に劇場（映画館）に入場するまでを例に以下、説明する。
先ず、図１の携帯端末２０を所持する甲が、図１の映画パンフレット１０を読み、近く公開される映画「ＡＢＣ」を鑑賞したいときは、自己の携帯端末２０の「マトリックス型２次元コード取得装置２１」を動作させて、映画パンフレット１０の「マトリックス型２次元コード１１」を取得する。
この「マトリックス型２次元コード１１」には、上述のように映画作品名（ＡＢＣ）の情報、一意識別番号（１２３４５６）及びチケット管理サーバ４０へアクセスするための「ＵＲＬ」情報が含まれている。
【００３３】
そして、図８のＳＴ１へ進む。ＳＴ１では、携帯端末２０の「マトリックス型２次元コード取得部２１」が映画パンフレット１０の「マトリックス型２次元コード１１」を受信したか否かを判断する。
【００３４】
次いで、ＳＴ２へ進む。ＳＴ２では、携帯端末２０は、受信した「マトリックス型２次元コード１１」を図２の「マトリックス型２次元コード記憶部２６」に記憶する。
次いで、ＳＴ３へ進む。ＳＴ３では、携帯端末２０が、チケット管理サーバ４０へアクセス許可を取得したか否かを判断する。
すなわち、携帯端末２０は、その携帯端末側ディスプレイ２４に「チケット管理サーバ４０」にアクセスしても宜しいですか？」とのメッセージを表示し、このメッセージを視認した利用者である「甲」が携帯端末側入力装置２５を操作して、許可のデータを入力がされるのを待つことになる。
【００３５】
ＳＴ３で、利用者（甲）から許可データが入力されると、ＳＴ４へ進む。ＳＴ４では、携帯端末２０が、図２の携帯端末２０の「利用者情報記憶部２７」を参照し、甲の「氏名」「Ｅメールアドレス」等の情報を取得する。また、図２の「マトリックス型２次元コード記憶部２６」に記憶されている「映画パンフレット１０」の「マトリックス型２次元コード１１」の情報も取得し、これら取得した情報を「携帯端末側通信装置２３」を用いて、図１の「チケット管理サーバ４０」へ送信する。
【００３６】
次いで、ＳＴ５へ進む。ＳＴ５では、チケット管理サーバ４０の図４の「２次元コード解析部（プログラム）４１１」が「マトリックス型２次元コード１１」を復号化し、「作品名データ（ＡＢＣ）」及び「一意識別番号（１２３４５６）」を特定する。
そして、「一意識別番号（１２３４５６）」毎に予約関連情報である例えば、「利用者基本情報４１２ａ」を作成し、「個人名」「Ｅメールアドレス」と関連付けて、「一意識別番号（１２３４５６）」及び「作品名（ＡＢＣ）」を記憶する。
【００３７】
このように、本実施の形態では、携帯端末２０から送信された「映画パンフレット１０」に記憶されている「一意識別番号（１２３４５６）」を基本として、チケット管理サーバ４０は、後述する予約情報を作成することになる。
【００３８】
次いで、ＳＴ６へ進む。ＳＴ６では、チケット管理サーバ４０から携帯端末２０に問い合わせ事項が送信される。この問い合わせ事項は、当該映画作品（ＡＢＣ）の表現形態に、３Ｄ（３次元映像）、２Ｄ（２次元映像）、字幕、日本語吹き替え等が含まれる場合はこれらの選択が含まれる。また、問い合わせ事項には、大人子供の選択、枚数の選択、決済方法（カード等）の選択等も含まれている。
この動作は、図４の「問い合わせ事項処理部（プログラム）４１４」が実行する。
そして、これらの問い合わせ事項は携帯端末２０の携帯端末側ディスプレイ２４に表示される。
【００３９】
次いで、ＳＴ７へ進む。ＳＴ７では、携帯電話２０における甲の問い合わせ事項の入力が終了したか否かが判断される。
ＳＴ７で、問い合わせ事項の入力が終了したと判断されたときは、ＳＴ８へ進む。ＳＴ８では、入力された問い合わせ事項の選択情報をチケット管理サーバ４０の図４の「利用者基本情報記憶部４１２」の「利用者基本情報４１２ａ」に記憶する。
【００４０】
このとき、問い合わせ事項の「枚数」が複数の場合は、図４の「一意識別番号（１２３４５６）」は、従属一意識別情報である例えば、一意識別番号の枝番（例えば、１２３４５６―１）を付して管理する。
したがって、利用者「甲」が複数枚のチケットを希望した場合でも、自動的に映画チケット毎に管理する構成となっている。
【００４１】
これにより、利用者である甲は、自己が鑑賞したい映画について、その表現形態、大人子供の選択、枚数の選択及び決済方法の選択等が完了し、自己の基本情報の登録が終了し、その後、当該映画の公開が近づいたときの劇場等の具体的な選択をする時期の到来を待つことになる。
このように、本実施の形態では、映画パンフレット１０を手に取り、鑑賞したいと希望する利用者である甲は、映画パンフレット１０の「マトリックス型２次元コード１１」を、自己の携帯端末２０で取得し、そのまま、チケット管理サーバ４０にアクセスするだけで予約の基本情報の登録が終了する。
【００４２】
また、この基本情報である「利用者基本情報４１２ａ」は、「マトリックス型２次元コード１１」に含まれる「一意識別番号（１２３４５６）」に基づいて生成されるので、甲が、会員登録等を行い、自己の口座等を作成する必要がない。
したがって、従来のように、映画のパンフレットで鑑賞したいと考えた後、利用者がチケット予約のシステムに会員登録し、その後、予約の基本情報を作成するという手間がない、迅速かつ容易に予約の基本情報を作成することができる。
このため、従来、映画を鑑賞したいと希望しながら、予約に手間がかかるため予約をしてこなかった潜在的な需要者が実際に予約をし易くなり、映画館等で映画を鑑賞する人数を大幅に増加させることができる。
【００４３】
次いで、利用者「甲」が、チケット管理サーバ４０の「利用者基本情報４１２ａ」に登録した映画作品（ＡＢＣ）の公開時期が近づくと、映画を鑑賞する劇場、日時及び座席等の具体的な予約が可能な時期が到来し、以下のように図１の「チケット管理サーバ４０」から「甲」の「携帯端末２０」に問い合わせ等の送信がなされる。
【００４４】
先ず、図１０のＳＴ１１では、チケット管理サーバ４０は、公開予定時期から所定期間前の映画作品があるか否かを判断する。
具体的には、図５の「作品公開予定時期判断部（プログラム）４３１」が動作し、図３の「計時装置４５」と、映画作品毎の公開予定時期情報を記憶している「作品公開予定時期情報記憶部４１３」を参照して、公開予定時期から所定期間前の「映画作品（ＡＢＣ）」があるか否かを判断する。
【００４５】
ＳＴ１１で、該当する映画作品（ＡＢＣ）があるときは、ＳＴ１２へ進む。ＳＴ１２では、該当する映画作品（ＡＢＣ）を図５の「公開予定時期近接作品情報記憶部４３２」に記憶させる。
次いで、ＳＴ１３へ進む。ＳＴ１３では、図５に示す「予約可能情報処理部（プログラム）４３３」が動作し、図４の「利用者基本情報４１２ａ」を参照し、「公開予定時期近接作品情報記憶部４３２」に記憶されている「映画作品」を登録している「利用者基本情報４１２ａ」の「一意識別番号（１２３４５６）」の「Ｅメールアドレス」に予約可能情報を送信する。すなわち、どの劇場で、何時(日時)、どの座席を予約するかが選択できる旨の情報を送信する。
【００４６】
次いで、ＳＴ１４へ進む。ＳＴ１４では、利用者「甲」の携帯端末２０の「携帯端末側ディスプレイ２４」に「映画作品の予約（劇場、日時、座席等）」を希望するか否かを表示する。
ＳＴ１４で、利用者「甲」が「映画作品の予約を希望する」旨の信号を入力したときは、ＳＴ１５へ進む。ＳＴ１５では、携帯端末２０の携帯端末側ディスプレイ２４に、当該映画作品の予約を開始する者が、他の人、すなわち、ギフト(譲渡)用であるか否かを尋ねる情報が表示される。
【００４７】
本実施の形態の映画チケット予約システム１では、利用者「甲」が一旦、「一意識別番号（１２３４５６）」と関連付けて登録した予約の基本情報を自己のためでなく、他人に譲渡することが可能な構成となっているので、ＳＴ１５では、かかる問い合わせを行う。
【００４８】
ＳＴ１５で、「予約がギフト用」でないときは、ＳＴ１６へ進む。ＳＴ１６では、図５の「予約番号等処理部（プログラム）４３４」が動作し、「利用者基本情報４１２ａ」の「一意識別番号（１２３４５６）」の枝番（１２３４５６−１等）毎に予約内容の問い合わせ情報を携帯端末２０に送信する。
携帯端末２０は、携帯端末側ディスプレイ２４に、当該「一意識別番号（１２３４５６）」の枝番（１２３４５６−１等）毎に予約内容（劇場、劇場、日時、座席等）の問い合わせ画面を表示する。
【００４９】
次いで、ＳＴ１７へ進む。ＳＴ１７では、問い合わせ内容の入力が終了したか否かを判断する。
ＳＴ１７で、問い合わせ内容の入力が終了したときは、ＳＴ１８へ進む。ＳＴ１８では、図５の「予約内容特定部（プログラム）４３５」が動作して、入力結果（劇場、日時、座席）を、番号化（及び暗号化）して「予約番号」を生成する、そして、これらを「利用者基本情報４１２ａ」に記憶すると共に、当該携帯端末２０の図２の「予約番号記憶部２８」に「予約番号」を記憶させる。
このように、本実施の形態では、利用者「甲」が映画パンフレット１０を見てから、予約番号の生成まで、すべて、映画パンフレット１０が有する「一意識別番号」で一貫して管理するので、利用者「甲」にとって煩雑である自己の個人情報等の入力等を大幅に削減することができ、極めて使い易いシステムとなっている。
【００５０】
これにより、当該映画作品の「劇場、日時、座席情報」を含む「予約番号」が、チケット管理サーバ４０及び携帯端末２０に格納されることになる。
また、この「予約番号」は、一意識別番号（１２３４５６）」の枝番（１２３４５６−１等）毎に付されるので、利用者「甲」が複数の映画チケットの購入を希望する場合は、映画チケット毎の予約番号を生成することができる。
この「予約番号」が「入場許可予約情報」の一例となっている。
【００５１】
ところで、ＳＴ１５で、ギフト用とされたときは、ＳＴ１９へ進む。ＳＴ１９では、ギフト対象の「一意識別番号（１２３４５６）」又は、複数の映画チケットを予約した場合は、利用者「甲」がギフト対象として特定した「一意識別番号の枝番（１２３４５６−１等）」が表示される。
そして、当該「一意識別番号（１２３４５６）」又は「一意識別番号の枝番（１２３４５６−１等）」について、ギフト対象者の「氏名」及び「メールアドレス」の情報入力画面が携帯端末２０の携帯端末側ディスプレイ２４に表示される。
【００５２】
すなわち、利用者「甲」が登録した、既に予約のための基本情報には、枚数情報があり、枚数が複数の場合は、上述の「一意識別番号（１２３４５６）」に関連付けた「一意識別番号の枝番（１２３４５６−１等）」で各件を番号毎に管理している。
したがって、本工程では、「一意識別番号（１２３４５６）」又は「一意識別番号の枝番（１２３４５６−１等）」を示し、譲渡する相手方（ギフト対象者）の情報（氏名、メールアドレス等）の入力を求める。
【００５３】
次いで、ＳＴ２０へ進む。ＳＴ２０では、利用者「甲」による、ギフト対象者の情報の入力が終了したか否かを判断する。ＳＴ２０で、入力が終了したと判断されたときは、ＳＴ２１へ進む。
ＳＴ２１では、図６の「ギフト確認処理部（プログラム）４５１」が動作して、入力されたギフト対象者の「メールアドレス」に、当該ギフトの申し出を受諾するか否かの「ギフト確認メール」を送信する。
すなわち、映画のチケットのギフト（譲渡）を受諾するか否かの意思確認を行う。
【００５４】
次いで、ＳＴ２２へ進む。ＳＴ２２では、ギフト対象者の携帯端末等からギフト受諾確認の返信を受信したか否かが判断される。
ＳＴ２２で、ギフト受諾確認の返信を受信したと判断されたときは、図６の「ギフト処理部（プログラム）４５２」が動作し、ギフト対象の「一意識別番号（１２３４５６）」又は「一意識別番号（１２３４５６）」の枝番（１２３４５６−２等）に「ギフト済み」とする。
そして、図４に示すように、当該「一意識別番号の枝番（１２３４５６−２）」については、独立した「利用者基本情報４１２ａ」とし、当該ギフト対象者の「氏名」「メールアドレス」等の情報を記憶し、「一意識別番号（１２３４５６）」との関連付けを外す処理を行う。
【００５５】
このように、本実施の形態では、利用者「甲」が、自己が予約したチケットを他人にギフトとして譲渡するときも、迅速且つ容易に処理できる。
また、ギフトを受ける相手方の意思確認も自動的に行い、ギフトとして譲渡された「一意識別番号」等も利用者「甲」とは異なる独立したデータとして処理するため、個人のプライバシー等も確実に守ることができる。
【００５６】
以上で、利用者「甲」等は、自己が鑑賞したい映画作品の劇場（映画館）、日時及び座席等の情報を有する「予約番号」を携帯端末２０内に記憶させることができる。このため、利用者「甲」は、当日、劇場へ向かうことになる。
以下、劇場における利用者の入場工程を図１２のフローチャートに沿って説明する。
【００５７】
利用者「甲」が,自己の携帯端末２０を所持して、図１の劇場のゲート８０に到着し、自己の携帯電話２０をゲート８０の劇場側リードライタ装置９０に近接させる。すると、ＮＦＣ（Ｎｅａｒ  Ｆｉｅｌｄ  Ｃｏｍｍｕｎｉｃａｔｉｏｎ）等の近距離無線通信で通信が開始される。
【００５８】
そして、図１２のＳＴ５１に進む。ＳＴ５１では、「劇場側リードライト装置９０」が「携帯端末２０」の「予約番号記憶部２８」が記憶している「予約番号」情報を取得したか否かを判断する。
ＳＴ５１で、携帯端末２０から「予約番号」を取得したと判断したときは、ＳＴ５２へ進む。ＳＴ５２では、携帯端末２０から取得した「予約番号」を劇場サーバ６０の「取得予約番号記憶部６５」に「取得予約番号情報」として記憶する。
【００５９】
次いで、ＳＴ５３へ進む。ＳＴ５３では、劇場サーバ６０が「取得予約番号情報」を「チケット管理サーバ４０」へ送信する。
次いで、ＳＴ５４へ進む。ＳＴ５４では、図６の「予約番号確認部（プログラム）４５３」が動作し、劇場サーバから受信した「取得予約番号情報」が「利用者基本情報記憶部４１２」の「利用者基本情報４１２ａ」の「予約番号」と合致するか否かを判断する。
【００６０】
ＳＴ５４で、「予約番号」が一致するときは、ＳＴ５５へ進む。ＳＴ５５では、ゲート８０の「入場券印刷装置９１」が当該入場券を印刷して排出する。
したがって、利用者「甲」は、この入場券を所持して、劇場内に入り、所望の映画作品（ＡＢＣ）を鑑賞することができる。
【００６１】
このように、本実施の形態では、予約番号が虚偽の場合は入場不可することができ、不正入場を確実に防ぐことができる。
なお、本発明は、上述の各実施の形態に限定されない。
【符号の説明】
【００６２】
１・・・映画チケット予約システム、２・・・インターネット網、３・・・基地局、１０・・・映画パンフレット、１１・・・マトリックス型２次元コード、２０・・・携帯端末、２１・・・マトリックス型２次元コード取得装置、２２・・・携帯端末制御部、２３・・・携帯端末側通信装置、２４・・・携帯端末側ディスプレイ、２５・・・携帯端末側入力装置、２６・・・マトリックス型２次元コード記憶部、２７・・・利用者情報記憶部、２８・・・予約番号記憶部、４０・・・チケット管理サーバ、４１・・・チケット管理サーバ制御部、４２・・・チケット管理サーバ側通信装置、４３・・・チケット管理サーバ側ディスプレイ、４４・・・チケット管理サーバ側入力装置、４５・・・計時装置、６０・・・劇場管理サーバ、６１・・・劇場管理サーバ制御部、６２・・・劇場管理サーバ側通信装置、６３・・・劇場管理サーバ側ディスプレイ、６４・・・劇場管理サーバ側入力装置、６５・・・取得予約番号記憶部、８０・・・ゲート、９０・・・劇場側リードライタ装置、９１・・・入場券印刷装置、４１０・・・第１チケット管理サーバ側各種情報記憶部、４１１・・・２次元コード解析部（プログラム）、４１２・・・利用者基本情報記憶部、４１２ａ・・・利用者基本情報、４１３・・・作品公開予定時期情報記憶部、４１４・・・問い合わせ事項処理部（プログラム）、４３０・・・第２チケット管理サーバ側各種情報記憶部、４３１・・・作品公開予定時期判断部（プログラム）、４３２・・・公開予定時期近接作品情報記憶部、４３３・・・予約可能情報処理部（プログラム）、４３４・・・予約番号等処理部（プログラム）、４３５・・・予約内容特定部（プログラム）、４５０・・・第３チケット管理サーバ側各種情報記憶部、４５１・・・ギフト確認処理部（プログラム）、４５２・・・ギフト処理部（プログラム）、４５３・・・予約番号確認部（プログラム）
【要約】      （修正有）【課題】映画等の宣伝用等の映画パンフレット等の配布媒体を見て、鑑賞等しようとする利用者が、簡易かつ迅速に予約券等の予約情報を取得することができる興業情報管理システム及び興業情報管理システムの制御方法を提供する。【解決手段】各種興業に関する利用者の予約関連情報を管理する予約関連情報管理装置４０と、各種興業の利用者が保持し、予約関連情報管理装置と通信可能な携帯端末２０と、興業内容の告知で配布される配布媒体１０と、を有し、配布媒体は、他の配布媒体と識別可能な一意識別情報と、携帯端末が予約関連情報管理装置にアクセスするためのアクセス情報を有し、携帯端末は、一意識別情報及びアクセス情報を取得可能で、予約関連情報管理装置は、携帯端末から取得した一意識別情報に基づいて予約関連情報を生成し、他の予約関連情報と区別する。【選択図】図１【図１】
0005642846.tif 000002
【図２】
0005642846.tif 000003
【図３】
0005642846.tif 000004
【図４】
0005642846.tif 000005
【図５】
0005642846.tif 000006
【図６】
0005642846.tif 000007
【図７】
0005642846.tif 000008
【図８】
0005642846.tif 000009
【図９】
0005642846.tif 000010
【図１０】
0005642846.tif 000011
【図１１】
0005642846.tif 000012
【図１２】
0005642846.tif 000013